(57)【要約】【課題】携帯端末においてハンズフリーの機能を行うと共に、ＴＶ、動画像を視聴するためのチャンネル切り替え及び音量の調節を行うリモコン装置を備える携帯端末のハンズフリー兼用リモコン装置を提供すること。【解決手段】ＴＶ及び動画像を視聴するための液晶表示部と、音量が調節可能なスピーカ装置と、マイク装置とを備える携帯端末において、上記端末に配設される連結部と、ハンズフリー装置を備えると共に、その一端は上記連結部に着脱され、上記携帯端末のＴＶ及び動画像の視聴のためのチャンネルを切り替えるか、あるいは、上記スピーカ装置の音量を調節するリモコン部と、を備えることを特徴とする携帯端末のハンズフリー兼用リモコン装置。【選択図】図１
2006352882.tif 000002
【特許請求の範囲】
【請求項１】
ＴＶ及び動画像を視聴するための液晶表示部と、音量が調節可能なスピーカ装置と、マイク装置とを備える携帯端末であって、
前記端末に配設される連結部と、
ハンズフリー装置を備えると共に、その一端は前記連結部に着脱され、前記携帯端末のＴＶ及び動画像の視聴のためのチャンネルを切り替えるか、あるいは、前記スピーカ装置の音量を調節するリモコン部と、を備えることを特徴とする携帯端末のハンズフリー兼用リモコン装置。
【請求項２】
前記端末には、前記連結部と前記端末とを接続するためのワイヤー連結部が設けられていることを特徴とする請求項１に記載の携帯端末のハンズフリー兼用リモコン装置。
【請求項３】
前記リモコン部は、
前記リモコン部の一端に配設されて前記連結部に着脱される連結部材と、
チャンネルの切り替え及び音量の調節を行うための多数のキーを有するキー入力部と、を備えることを特徴とする請求項１に記載の携帯端末のハンズフリー兼用リモコン装置。
【請求項４】
前記リモコン部の連結部材と前記連結部とは、螺合されていることを特徴とする請求項１に記載の携帯端末のハンズフリー兼用リモコン装置。
【請求項５】
前記キー入力部は、
ＴＶのチャンネルを切り替えるためのチャンネル切り替えキーと、
前記端末の音量を調節するための音量調節キーと、
前記リモコン部に前記端末とのハンズフリー機能を行わせるためのハンズフリー通話／終了キーと、を備えることを特徴とする請求項３に記載の携帯端末のハンズフリー兼用リモコン装置。
【請求項６】
前記リモコン部は、
前記リモコン部に前記ハンズフリー機能を行わせるべく、前記端末と無線にて信号を送受するための近距離通信モジュールと、
前記リモコン部に通話機能を行わせるためのスピーカ装置及びマイク装置と、をさらに備えることを特徴とする請求項１に記載の携帯端末のハンズフリー兼用リモコン装置。
【請求項７】
前記リモコン部には、ユーザーの耳部に挿し抜き自在に装着されるフックがさらに配設されていることを特徴とする請求項１に記載の携帯端末のハンズフリー兼用リモコン装置。
【請求項８】
前記リモコン部は、長手方向に延びて棒状を呈すると共に、前記連結部、スピーカ装置、前記キー入力部及び前記マイク装置が前記長手方向に順次に配設されていることを特徴とする請求項１に記載の携帯端末のハンズフリー兼用リモコン装置。
【請求項９】
液晶表示部と、音量が調節可能なスピーカ装置と、マイク装置とを備える携帯端末であって、
前記端末に配設される連結部と、
ハンズフリー装置を備えると共に、前記携帯端末のＴＶ及び動画像を視聴するためのチャンネルを切り替えるか、あるいは、前記スピーカ装置の音量を調節するためのリモコン機能を行う装置と、を備えることを特徴とする携帯端末のハンズフリー兼用リモコン装置。
【発明の詳細な説明】
【技術分野】
【０００１】
本発明は、携帯端末のハンズフリー兼用リモコン装置に係り、さらに詳しくは、携帯端末においてハンズフリー機能を行うと共に、ＴＶ、動画像を視聴するためのチャンネル切り替え及び音量の調節を行うリモコン装置を備える携帯端末のハンズフリー兼用リモコン装置に関する。
【背景技術】
【０００２】
通常、「携帯用の通信装置」とは、ユーザーが持ち運びながら相手方と無線通信を行うことのできる装置を言う。この種の携帯用の通信装置としては、ＨＨＰ、ＣＴ−２セルラーホン、デジタルホン、ＰＣＳホン及びＰＤＡなどがあり、見掛けからも各種のタイプに分類される。例えば、無線端末は、外観によってバータイプ、フリップタイプあるいはフォルダタイプのものに分類される。バータイプの無線端末は、単一のハウジングがバー状を呈するものをいい、フリップタイプの無線端末は、バー状のハウジングにヒンジ装置によってフリップやカバー体が回転自在に取り付けられているものを言う。さらに、フォルダタイプの無線端末は、単一のバー状のハウジングにフォルダがヒンジ装置によって回転可能に接続されるものを言い、折り畳み方式となっている。なお、スライドタイプの無線端末もあるが、これは、本体のハウジングから対面状態でスライドハウジングを半分程度摺動して開閉する方式となっている。
【０００３】
この種の端末は、初期には単なる音声通信用のものであったが、近年に至ってはデータ通信にも活用されている。さらに、最近、移動通信サービス事業者からは、無線インターネット携帯電話によるニュース閲覧、銀行取引、電子商取引、ゲーム及び動画像の視聴が行えるように数百個のコンテンツが提供されている。
【０００４】
最近は、サービスとして、端末を用いてＡＭまたはＦＭのラジオ放送を聴取すること、端末の液晶表示部（ＬＣＤ）を介してＴＶを視聴すること、インターネット上のＭＰ３音楽をオーディオファイルフォーマット（拡張子は、ｍｐ３）にてダウンロードして端末内のメモリ装置に記憶させた後、必要に応じて再生すること、さらには、映画などの動画像をダウンロードして端末の液晶表示部（ＬＣＤ）を介して視聴することを提供する種々の携帯端末が登場している。
【０００５】
しかしながら、従来の携帯端末は、ユーザーが端末を介してＴＶ及び動画像を視聴したり音楽を鑑賞する最中に端末に電話がかかってくると、端末を手に持ち、上記ＴＶ視聴または音楽鑑賞の取り消しボタンを押し、さらに通話ボタンを押した後、端末をユーザーの耳部に当ててから通話をしなければならなかったため、不便であった。
【０００６】
また、従来の携帯端末を受け台に載せてＴＶや動画像を視聴していて、他のチャンネルに切り替えたいとき、ユーザーは、端末に配設されているチャンネル切り替えボタンを一々押さなければならなかった。同様に、音量を調節するときにも、端末を手に持って音量調節ボタンを押さなければならなかったため、端末の使い勝手が悪かった。
上述した如き不都合を解消するために、従来の携帯端末には、ユーザーがあえて端末を手に持つことなく、ユーザーの耳部にかけるだけで近距離での無線通話が可能にハンズフリー装置が取り付けられていた。
【０００７】
このハンズフリー装置は、受信用のイヤホンと、発信用のマイクロホンと、通話中には信号を遮断すると共に、通話待ち中には最後に通話していた相手方の電話番号に自動的にダイアリングを行う多数のキー付きキーパッドと、を備える。
【０００８】
しかしながら、従来のハンズフリー装置は、近距離での通話は可能であるが、別途のリモコン機能が無いためにチャンネルの切り替え及び音量の調節時には端末を手に持ってから行う必要があり、携帯時には別途の置き場所が必要になるために部品コストが上がり、しかも、紛失の可能性も高いという欠点があった。
【発明の開示】
【発明が解決しようとする課題】
【０００９】
本発明は上記の事情に鑑みてなされたものであり、その目的は、携帯端末においてハンズフリーの機能を行うと共に、ＴＶ、動画像を視聴するためのチャンネルの切り替え及び音量の調節を行うリモコン装置を備えることにより、端末の使い勝手を良くできる携帯端末のハンズフリー兼用リモコン装置を提供するところにある。
【００１０】
本発明の他の目的は、その用途に応じて携帯端末に着脱可能なリモコン装置を備えることにより、持ち運び性を高めることができ、別途の置き場所が不要になることから部品コストを節減することができるほか、紛失を未然に防ぐこともできる携帯端末のハンズフリー兼用リモコン装置を提供するところにある。
【課題を解決するための手段】
【００１１】
上述した目的を達成するために、本発明は、ＴＶ及び動画像を視聴するための液晶表示部と、音量が調節可能なスピーカ装置と、マイク装置とを備える携帯端末であって、上記端末に配設される連結部と、ハンズフリー装置を備えると共に、その一端は上記連結部に着脱され、上記携帯端末のＴＶ及び動画像の視聴のためのチャンネルを切り替えるか、あるいは、上記スピーカ装置の音量を調節するリモコン部と、を備えることを特徴とするハンズフリー兼用リモコン装置を提供する。
【発明の効果】
【００１２】
本発明によれば、本発明による携帯端末のハンズフリー兼用リモコン装置は、端末と一緒に持ち運ぶことから携帯性に優れ、別途の置き場所が不要になることから使い勝手がよくなるだけではなく、紛失を未然に防ぐことができる。
なお、本発明による携帯端末のハンズフリー兼用リモコン装置は、携帯可能なあらゆる端末に適用可能である。
【発明を実施するための最良の形態】
【００１３】
以下、添付した図面に基づいて本発明の好適な実施の形態を詳しく説明する。
図１及び図２に示すように、携帯端末１のハンズフリー兼用リモコン装置１０は、連結部２０と、リモコン部３０とを備える。上記連結部２０は、上記リモコン部３０に着脱可能に上記端末１に配設され、上記リモコン部３０は、上記携帯端末１のＴＶ及び動画像を視聴するためのチャンネルを切り替えるか、あるいは、端末１のスピーカ装置３の音量を調節するためのものであって、ハンズフリー装置を備えると共に、上記連結部２０に着脱される。
【００１４】
また、図１に示すように、上記端末１には、上記連結部２０と上記端末１とを接続するためのワイヤー連結部２１が配設されている。このワイヤー連結部２１の一端は上記端末１に形成されている係止部５に接続され、他端は上記連結部２０と接続されている。
【００１５】
図２に示すように、上記リモコン部３０は、連結部材３１と、キー入力部３２とを備える。上記連結部材３１は、上記端末１の一端に形成された上記連結部２０に着脱可能に上記リモコン部３０の一端に配設され、上記キー入力部３２は、チャンネル切り替え及び音量の調節を行うための多数のキーを有する。
【００１６】
上記リモコン部３０の連結部材３１と上記連結部２０とは、着脱可能に螺合されている。
図２に示すように、上記キー入力部３２は、チャンネル切り替えキー３２ａと、音量調節キー３２ｂと、ハンズフリー通話／終了キー３２ｃとを備える。上記チャンネル切り替えキー３２ａは、上記端末１のＴＶ及び動画像を視聴すべく無線にてチャンネルを切り替えるために上記リモコン部３０の前面に配設され、上記音量調節キー３２ｂは、上記端末１の音量を調節するために上記リモコン部３０の前面に配設される。さらに、上記ハンズフリー通話／終了キー３２ｃは、上記端末１とのハンズフリー機能を行わせるために上記リモコン部３０の前面に配設されている。さらに、上記リモコン部３０には、上記端末１と無線にて信号を送受信して上記ハンズフリー機能を行うための近距離通信モジュール３３が組み込まれている。
【００１７】
上記リモコン部３０には、上記リモコン部３０にハンズフリー機能を行わせるためのスピーカ装置３４及びマイク装置３５が配設されている。
図３に示すように、上記リモコン部３０には、上記リモコン部３０にハンズフリー機能を行わせる場合、ユーザーの耳部に挿し抜き自在にかけるためのフック４０が設けられている。
上記リモコン部３０は、長手方向に延びて棒状を呈する。
【００１８】
さらに、上記リモコン部３０の前面には、上記長手方向に上記連結部材３１、スピーカ装置３４、上記キー入力部３２及び上記マイク装置３５が順次に配設されている。
以下、図１ないし図３を参照して上述した構成を有する本発明の好適な一実施の形態による携帯端末のハンズフリー兼用リモコン装置の動作過程を詳細に説明する。
【００１９】
図１に示すように、携帯端末１のハンズフリー兼用リモコン装置１０は、端末１に形成されている係止部５にワイヤー連結部２１の一端が接続される。
上記ワイヤー連結部２１の他端に配設された連結部２０と上記リモコン部３０の連結部材３１とは、螺合されている。
【００２０】
この状態で、ユーザーが端末１の液晶表示部２を介してＴＶを視聴したい場合、上記連結部２０に締め付けられている上記リモコン部３０の連結部材３１を回して抜く。
このとき、図２に示すように、上記端末１を受け台６を用いて床面に立て、上記端末１をＴＶ視聴のための機能として用いる。
このとき、ユーザーが他のチャンネルに切り替えたい場合、上記リモコン部３０に配設されたキー入力部３２のチャンネル切り替えキー３２ａを押しながら、自分が視聴したいチャンネルを選局して視聴すればよい。
【００２１】
なお、ＴＶを視聴している最中に音量を大きくしたい場合、上記キー入力部３２の音量調節キー３２ｂを押して調節すれば良い。
この状態で、図３に示すように、上記端末１に電話がかかってきた場合、上記リモコン部３０に配設されたハンズフリー通話／終了キー３２ｃを押すことで、上記端末１と無線にて通話可能になる。これにより、上記のリモコン部３０をハンズフリー機能として用いることができる。このとき、上記リモコン部３０に配設されたフック４０をユーザーの耳部にかけると、ユーザーの耳穴にはスピーカ装置３４が嵌め込まれ、ユーザーの口部にはマイク装置３５が垂下される。
【００２２】
上記リモコン部３０には、上記リモコン部３０に上記端末１との無線ハンズフリー機能を行わせるための近距離通信モジュール３３が組み込まれる。
この状態で、ユーザーは、通話をしながら、上記端末１の液晶表示部２を介してＴＶ視聴をすることができる。
【００２３】
ここで、上記ハンズフリー通話／終了キーを押し直すと、端末の通話が終了して、さらに上記リモコン部３０にリモコン機能を行わせることができる。
さらに、上記端末１によるＴＶの視聴が終わると、上記リモコン部３０の連結部材３１を上記端末１の連結部２０に締め付け、上記端末１と一緒に携帯すればよい。
【００２４】
さらに、本発明においては、ＴＶを視聴する最中に通話をするためにハンズフリー通話／終了キー３２ｃを押すと、自動的に現在のＴＶ音量をダウン若しくは消音し、その一方、通話が終わって上記ハンズフリー通話／終了キー３２ｃを押し直すと、ＴＶの音量を元の音量に戻す機能を付加してもよい。
【００２５】
本発明は上述した実施の形態及び図面により限定されるものではなく、本発明の技術的な思想を逸脱しない範囲内であれば、種々の置換、変形及び変更が可能であることは本発明が属する技術分野における通常の知識を有する者にとって明らかである。
【図面の簡単な説明】
【００２６】
【図１】本発明の一実施の形態による携帯端末のハンズフリー兼用リモコン装置の構成を示す分解斜視図。
【図２】本発明の一実施の形態による携帯端末のハンズフリー兼用リモコン装置の使用状態を示す分解斜視図。
【図３】本発明の一実施の形態による携帯端末のハンズフリー兼用リモコン装置にハンズフリー機能を行わせた状態を示す斜視図。
【符号の説明】
【００２７】
５：係止部
１０：ハンズフリー兼用リモコン装置 
２０：連結部
２１：ワイヤー連結部
３０：リモコン部
３１：連結部材
３２：キー入力部
３２ａ：チャンネル切り替えキー
３２ｂ：音量調節キー
３２ｃ：ハンズフリー通話／終了キー
３３：近距離通信モジュール
３４：スピーカ装置
３５：マイク装置
４０：フック
【図１】
2006352882.tif 000003
【図２】
2006352882.tif 000004
【図３】
2006352882.tif 000005